(57)【特許請求の範囲】
【請求項１】
内部の薬液を吸上げる吸液芯が設けられた液体容器と、液体容器が下部にセットされ上部に蒸散口を有する蒸散器本体と、蒸散器本体内に固定支持され前記吸液芯を加熱する加熱部とから成り、前記蒸散口は、開度制御手段によって、前記蒸散口の開口面積を小さく制御することで、気化された薬液は前記蒸散口を通過する時、流速が速くなって上方へ高く立ち登らせ、前記蒸散口の開口面積を広く制御することで、気化された薬液は前記蒸散口を通過する時、流速が遅くなって低く立ち登らせるように調節が可能であることを特徴とする加熱蒸散器。
【請求項２】
開度制御手段は、蒸散器本体の外方に突出した操作レバーと、操作レバーのスライド移動で蒸散口の開口面積を拡縮する制御ドアとを備えていることを特徴とする請求項１記載の加熱蒸散器。
【請求項３】
開度制御手段は、蒸散器本体のプラグをソケットに装着した時に蒸散口を全開とし、プラグをソケットから外した時に蒸散口を全閉とする駆動式の制御ドアを備えていることを特徴とする請求項１記載の加熱蒸散器。
【請求項４】
蒸散口は、主開放口と、主開放口の近傍に設けられ主開放口の開口面積より小さな副開放口とを備えていることを特徴とする請求項１記載の加熱蒸散器。
【請求項５】
蒸散器本体は、蒸散口の総開口面積より大きい総開口面積を有する空気取入口を備えていることを特徴とする請求項１記載の加熱蒸散器。
【発明の詳細な説明】
【０００１】
【発明の属する技術分野】
この発明は、部屋の消臭や芳香等に適する加熱蒸散器に関する。
【０００２】
【従来の技術】
薬液等の液体を気化・蒸散させることで、例えば、部屋の消臭等を行なう加熱蒸散器にあっては、例えば、特開平８−１４８号公報に記載のものが知られている。
【０００３】
加熱蒸散器の概要は、液体容器が下部にセットされた蒸散器本体内にヒータ等の発熱体が設けられ、発熱体によって前記液体容器内の薬液を吸上げる吸液芯に熱を与えることで、気化・蒸散を促し、蒸散器本体の上方に設けられた蒸散口から外部へ拡散する構造となっている。
【０００４】
【発明が解決しようとする課題】
液体容器内の薬液は、吸液芯がヒータ等の発熱体によって加熱されることで、気化・蒸散が促進され蒸散口から外へ拡散されるようになるが、蒸散口は開口面積が一定の固定タイプとなっている。
【０００５】
蒸散口の開口面積は、使用する標準的な部屋の広さを基準として設計されているため、標準より広い部屋で使用する際には、気化した薬液が部屋全体に広がりにくい面があること、それとは逆に小さい部屋で使用する際には、部屋全体に広がり過ぎて過剰となる等使用する部屋の広さに応じてきめ細かな対応ができない不具合いがあった。
【０００６】
そこで、この発明は、部屋の広さに応じて最適な状態で使用できるようにした加熱蒸散器を提供することを目的としている。
【０００７】
【課題を解決するための手段】
前記目的を達成するために、この発明の請求項１によれば、内部の薬液を吸上げる吸液芯が設けられた液体容器と、液体容器が下部にセットされ上部に蒸散口を有する蒸散器本体と、蒸散器本体内に固定支持され前記吸液芯を加熱する加熱部とから成り、前記蒸散口は、開度制御手段によって、前記蒸散口の開口面積を小さく制御することで、気化された薬液は前記蒸散口を通過する時、流速が速くなって上方へ高く立ち登らせ、前記蒸散口の開口面積を広く制御することで、気化された薬液は前記蒸散口を通過する時、流速が遅くなって低く立ち登らせるように調節が可能であることを特徴とする。
【０００８】
これにより、例えば、使用する部屋が広い場合には、蒸散口の開口面積を小さく制御する。この結果、気化された薬液は蒸散口を通過する時、流路断面積の縮小によって流速が速くなり上方へ高く立ち登り、広範囲に拡散するため、広い部屋であっても隅々まで確実にゆきわたるようになる。また、使用する部屋が小さい場合には、蒸散口の開口面積を広く制御する。この結果、気化された薬液は蒸散口を通過する時、流路断面積の拡大で流速が遅くなって低く立ち登り、低い拡散によって小さい部屋であっても隅々までゆきわたるようになり、広い部屋から小さい部屋まで最適な状態で使用可能となる。
【０００９】
また、この発明の請求項２によれば、開度制御手段を、蒸散器本体の外方に突出した操作レバーと、操作レバーに一体に固着され、スライド移動で蒸散口の開口面積を拡縮する制御ドアとで構成することを特徴とする。
【００１０】
これにより、部屋の広さに応じて操作レバーを操作することで、蒸散口の開口面積を容易に制御することが可能になると共に、構造も簡単なもので済むようになる。
【００１１】
また、この発明の請求項３によれば、開度制御手段を、蒸散器本体のプラグをソケットに装着した時に蒸散口を全開とし、プラグをソケットから外した時に蒸散口を全閉とする駆動式の制御ドアで構成することを特徴とする。
【００１２】
これにより、使用しない時は蒸散口は全閉となるため、薬液の無駄な自然気化を遅らせることが可能となる。
【００１３】
また、この発明の請求項４によれば、蒸散口を、主開放口と、主開放口の近傍に設けられ主開放口の開口面積より小さな副開放口とで形成することを特徴とする。
【００１４】
これにより、広い拡散状態が得られると共に、確実に蒸散口から外へ抜けるようになるため、内側に気化した薬液の粒子付着がなくなる。
【００１５】
また、この発明の請求項５によれば、蒸散器本体に、総開口面積が、蒸散口の総開口面積より大きい空気取入口を設けることを特徴とする。
【００１６】
これにより、蒸散口へ向かう上昇流が多くなり、蒸散器本体内で気化した薬液を円滑に外へ拡散することが可能となる。
【００１７】
【発明の実施の形態】
以下、図１乃至図６の図面を参照しながらこの発明の実施の形態について具体的に説明する。
【００１８】
図１は加熱蒸散器１の概要切断面図を示している。
【００１９】
加熱蒸発器１の蒸散器本体３は、合成樹脂の材質で作られていて、内部には加熱部５が配置される一方、下部には薬液の入った液体容器７が着脱自在に挿入セットされている。蒸散器本体３は締結ねじ９を緩めることで図３に示す突合せ線１１から前後３ａ，３ｂに分割可能となっていて、蒸散器本体３の上面中央部位には蒸散口１３が、下部には、正面からみて左右両側にスリット状の空気取入口１５がそれぞれ設けられている。
【００２０】
空気取入口１５は、総開口面積が蒸散口１３の総開口面積より大きく設定され、空気取入口１５から上方の蒸散口１３へ向かう確実な上昇流が確保されるようになっている。
【００２１】
蒸散口１３は、丸孔状に形成された上下に貫通する主開放口１７と、主開放口１７の周縁４箇所に主開放口１７より開口面積の小さい副開放口１９とで形成され、開度制御手段２１によって開口面積の調節が可能となっている。
【００２２】
開度制御手段２１は、蒸散器本体３の外方に突出した手動用の操作レバー２３と、操作レバー２３のスライド移動（図１矢印）によって蒸散口１３の開口面積を拡縮する帯板状の制御ドア２５とで構成されている。
【００２３】
操作レバー２３は、図３に示すように標準位置Ｐ１を中心として上方と下方へスライド操作可能となっていて、下方へ操作することで蒸散口１３の開口面積が順次大きくなり、最下位で開口面積が最大となるよう設定されている。
【００２４】
標準位置Ｐ１から上方へ操作することで、蒸散口１３の開口面積が順次小さくなり、最上位で開口面積が最小となるよう設定されている。
【００２５】
この場合、制御ドア２５は主開放口１７と副開放口１９とを同時に制御する広さの実施形態となっているが、例えば、図５の２点鎖線で示すように、主開放口１７を開閉制御する主制御ドアＳ１の外に、制御ドアＳ１を跨いで副開放口１９を開閉制御するコ字状の副制御ドアＳ２を設け、それら各制御ドアＳ１，Ｓ２をそれぞれ独立して操作できるようにしてもよい。これにより、広いレンジにわたって開口面積の調節が行なえるようになる。
【００２６】
なお、図５に示すようにソレノイド２７によって作動制御される駆動式制御ドア２９を蒸散口１３に設け、蒸散器本体３のプラグ３１をソケット３３に装着した時に蒸散口１３が全閉状態になると共に、プラグ３１をソケット３３から外した時に蒸散口１３を全閉とする構成としてもよい。これにより、使用しない時は蒸散口１３は全閉状態となるため、無駄となる自然気化を遅らせることが可能となる。
【００２７】
一方、液体容器７は容器本体７ａ内からキャップ取付部７ｂを介して上方へ延長された吸液芯３５を有すると共に、容器本体７ａの正面には、図２に示すように楕円状に形成された係合突起部３７が設けられている。
【００２８】
係合突起部３７は、容器本体７ａを蒸散器本体３の下部に挿入する時、蒸散器本体３の裾部を強制的に押し拡げていき、蒸散器本体３に設けられた係合孔３９と係合し合うことで、蒸散器本体３の裾部が元に戻る復帰力によって、係合孔３９と係合突起部３７との係合状態によって液体容器７の固定支持が確保されるようになっている。
【００２９】
吸液芯３５は、容器本体７の薬液を吸上げる熱に強い材質で作られていて、液体容器７を蒸散器本体３の下部に挿入セットした時、加熱部５の発熱体４５から若干上方へ突出する長さに設定されている。
【００３０】
加熱部５は、図６に示すように絶縁材によって取囲まれていて、加熱制御部４３と発熱体４５とから成り、取付け部４７はビス４９によって蒸散器本体３内に設けられた支持部材５１に固定支持されている。加熱制御部４３の端子４３ａは、前記支持部材５１に装着され、蒸散器本体３の後側から突出するプラグ３１と電気的に接続していて、プラグ３１をソケット３３に差込むことで電流が流れ、発熱体４５に熱を与えるＰＴＣヒータとなっている。
【００３１】
発熱体４５は吸液芯３５の外周を若干の隙間を有して取囲むリング状に形成されている。
【００３２】
なお、図２において５３は、使用時に点燈するパイロットランプを示している。
【００３３】
このように構成された加熱蒸散器１によれば、プラグ３１をソケット３３に差込むことで、吸液芯３５に熱が与えられ、気化した薬液は蒸散口１３から外へ拡散される。この時、空気取入口１５によって蒸散口１３へ向かう確実な上昇流が得られると共に、主開放口１７と副開放口１９とによって確実に外へ抜けるため、内側に気化した薬液の粒子付着がなくなる。
【００３４】
一方、例えば、標準の部屋（６帖間程度）から広い部屋で使用する時、操作レバー２３を操作して蒸散口１３の開口面積を小さくする。これにより、蒸散口１３の流路断面積が狭まることで、蒸散口通過時の流速が速くなるため上方へ高く立ち登り、広範囲にわたって確実に拡散するようになる。
【００３５】
次に、使用する部屋が小さい場合には、操作レバー２３を操作して蒸散口１３の開口面積を大きくする。これにより、蒸散口１３の流路断面積が拡がることで、蒸散口通過時の流速が遅くなるため、低く立ち登り、狭い範囲にわたって拡散するようになる。
【００３６】
したがって、小さい部屋から大きい部屋に応じて最適な状態で使用できる。
【００３７】
【発明の効果】
以上、説明したように、請求項１記載の発明によれば、開度制御手段による蒸散口の開口面積の調節によって、小さい部屋から大きい部屋まで最適な状態で使用できる。
【００３８】
請求項２記載の発明によれば、蒸散口の開閉制御を操作レバーと制御ドアで行なうため、構造が簡単なもので済むようになる。
【００３９】
請求項３記載の発明によれば、使用しない時に蒸散口を全閉にできるため、薬液の無駄な自然気化を遅らせることができる。
【００４０】
請求項４記載の発明によれば、主開放口と副開放口とにより、広い領域にわたって気化した薬液を拡散させることができると共に、蒸散口から確実に外へ抜けるため、内側に気化した薬液の粒子付着がなくなる。
【００４１】
請求項５記載の発明によれば、開口面積の大きい空気取入口によって蒸散口へ向かう上昇流が多くなり、気化した薬液を円滑に外へ拡散させることができる。
【図面の簡単な説明】
【図１】この発明にかかる加熱蒸散器の概要切断面図。
【図２】加熱蒸散器の正面図。
【図３】加熱蒸散器の側面図。
【図４】加熱蒸散器の背面図。
【図５】加熱蒸散器の平面図。
【図６】加熱部のみを示した概要斜視図。
【符号の説明】
３  蒸散器本体
５  加熱部
７  液体容器
１３  蒸散口
２１  開度制御手段
３５  吸液芯
【図１】
0004499914.tif 000002
【図２】
0004499914.tif 000003
【図３】
0004499914.tif 000004
【図４】
0004499914.tif 000005
【図５】
0004499914.tif 000006
【図６】
0004499914.tif 000007